(57)【要約】【課題】外部機器から出力されるデータの選択に際し、ユーザの操作性をより向上させることができる受信装置及びテレビジョン受像機を提供する。【解決手段】テレビジョン受像機１００において、検出手段（例えば、ＣＰＵ１４２、検出プログラム１４４ｂ等）により、予め設定されたタイミングで、ＲＦ入力端子からのＲＦ信号の入力の有無を検出し、ＲＦ入力端子からのＲＦ信号の入力が検出された場合に、外部入力切替手段（例えば、ＣＰＵ１４２、外部入力切替プログラム１４４ｃ等）により、ＲＦ信号の周波数を選局して受像するチャンネルに切り替え選択可能とする。【選択図】図１
2007110425.tif 000002
【特許請求の範囲】
【請求項１】
第１外部機器から出力されるＲＦ化されていない映像信号及び／又は音声信号である非ＲＦ信号を入力するための外部入力端子と、第２外部機器から出力されるＲＦ化された映像信号及び／又は音声信号であるＲＦ信号を入力するためのＲＦ入力端子と、前記外部入力端子から入力される非ＲＦ信号に切り替え選択するための外部入力切替手段と、を備えるテレビジョン受像機において、
予め設定されたタイミングで、前記ＲＦ入力端子からのＲＦ信号の入力の有無を検出する検出手段を備え、
前記外部入力切替手段は、前記検出手段により、前記ＲＦ入力端子からのＲＦ信号の入力が検出された場合に、当該ＲＦ信号の周波数を選局して受像するチャンネルに切り替え選択可能であり、
前記外部入力切替手段による、前記ＲＦ入力端子から入力されるＲＦ信号の周波数を選局して受像するチャンネルの切り替え選択機能の有無を選択する選択手段と、
前記ＲＦ入力端子から入力されるＲＦ信号の周波数を選局して受像するチャンネルを選択するチャンネル選択手段と、
を備えることを特徴とするテレビジョン受像機。
【請求項２】
第１外部機器から出力されるＲＦ化されていない映像信号及び／又は音声信号である非ＲＦ信号を入力するための外部入力端子と、第２外部機器から出力されるＲＦ化された映像信号及び／又は音声信号であるＲＦ信号を入力するためのＲＦ入力端子と、前記外部入力端子から入力される非ＲＦ信号に切り替え選択するための外部入力切替手段と、を備える受信装置において、
前記外部入力切替手段は、前記ＲＦ入力端子から入力されるＲＦ信号の周波数を選局して受像するチャンネルに切り替え選択可能に構成されていることを特徴とする受信装置。
【請求項３】
予め設定されたタイミングで、前記ＲＦ入力端子からのＲＦ信号の入力の有無を検出する検出手段を備え、
前記外部入力切替手段は、前記検出手段により、前記ＲＦ入力端子からのＲＦ信号の入力が検出された場合に、当該ＲＦ信号の周波数を選局して受像するチャンネルに切り替え選択可能であることを特徴とする請求項２に記載の受信装置。
【請求項４】
前記外部入力切替手段による、前記ＲＦ入力端子から入力されるＲＦ信号の周波数を選局して受像するチャンネルの切り替え選択機能の有無を選択する選択手段を備えることを特徴とする請求項２又は３に記載の受信装置。
【請求項５】
前記ＲＦ入力端子から入力されるＲＦ信号の周波数を選局して受像するチャンネルを選択するチャンネル選択手段を備えることを特徴とする請求項２〜４の何れか一項に記載の受信装置。
【発明の詳細な説明】
【技術分野】
【０００１】
本発明は、受信装置及びテレビジョン受像機に関する。
【背景技術】
【０００２】
従来、放送信号の受信を行う受信装置には、例えば、デジタル放送信号及びアナログ放送信号を受信可能なテレビジョン受像機（例えば、特許文献１）や、所望の放送信号のチャンネルを選局可能なセットトップボックス（例えば、特許文献２）等がある。
また、これらのテレビジョン受像機、セットトップボックス等を始めとする受信装置には、外部機器を接続するための複数の外部入力端子を備え、外部入力端子別に使用する外部機器を選択することにより、所望の外部機器から出力される映像・音声出力を入力する外部入力切替機能を有するもの（例えば、特許文献３）が開発されている。
【特許文献１】特開２００４−０３２２３１号公報
【特許文献２】特開２００４−３４３７３０号公報
【特許文献３】特開２００５−２１８００２号公報
【発明の開示】
【発明が解決しようとする課題】
【０００３】
しかしながら、外部機器には、映像・音声出力を特定のチャンネル（例えば、米国地上波放送における３チャンネル、４チャンネル）の放送信号（ＲＦ信号）として出力するものがあり、当該外部機器から出力されるＲＦ信号を受信装置において受信して受像する場合には、ＲＦ入力端子に外部機器のＲＦ出力を接続し、該当するＲＦ信号の周波数を選局することとなる。このため、前述の外部入力切替機能では、当該ＲＦ出力の外部機器を選択することができず、別途、ＲＦ信号の周波数のチャンネルを選局しなければならないため、操作が煩雑であるという問題があった。
【０００４】
本発明の課題は、外部機器から出力されるデータの選択に際し、ユーザの操作性を向上させることができる受信装置及びテレビジョン受像機を提供することである。
【課題を解決するための手段】
【０００５】
上記課題を解決するため、請求項１に記載の発明は、第１外部機器から出力されるＲＦ化されていない映像信号及び／又は音声信号である非ＲＦ信号を入力するための外部入力端子と、第２外部機器から出力されるＲＦ化された映像信号及び／又は音声信号であるＲＦ信号を入力するためのＲＦ入力端子と、前記外部入力端子から入力される非ＲＦ信号に切り替え選択するための外部入力切替手段と、を備えるテレビジョン受像機において、
予め設定されたタイミングで、前記ＲＦ入力端子からのＲＦ信号の入力の有無を検出する検出手段を備え、
前記外部入力切替手段は、前記検出手段により、前記ＲＦ入力端子からのＲＦ信号の入力が検出された場合に、当該ＲＦ信号の周波数を選局して受像するチャンネルに切り替え選択可能であり、
前記外部入力切替手段による、前記ＲＦ入力端子から入力されるＲＦ信号の周波数を選局して受像するチャンネルの切り替え選択機能の有無を選択する選択手段と、
前記ＲＦ入力端子から入力されるＲＦ信号の周波数を選局して受像するチャンネルを選択するチャンネル選択手段と、
を備えることを特徴とする。
【０００６】
請求項２に記載の発明は、第１外部機器から出力されるＲＦ化されていない映像信号及び／又は音声信号である非ＲＦ信号を入力するための外部入力端子と、第２外部機器から出力されるＲＦ化された映像信号及び／又は音声信号であるＲＦ信号を入力するためのＲＦ入力端子と、前記外部入力端子から入力される非ＲＦ信号に切り替え選択するための外部入力切替手段と、を備える受信装置において、
前記外部入力切替手段は、前記ＲＦ入力端子から入力されるＲＦ信号の周波数を選局して受像するチャンネルに切り替え選択可能に構成されていることを特徴とする。
【０００７】
請求項３に記載の発明は、請求項２に記載の受信装置において、予め設定されたタイミングで、前記ＲＦ入力端子からのＲＦ信号の入力の有無を検出する検出手段を備え、
前記外部入力切替手段は、前記検出手段により、前記ＲＦ入力端子からのＲＦ信号の入力が検出された場合に、当該ＲＦ信号の周波数を選局して受像するチャンネルに切り替え選択可能であることを特徴とする。
【０００８】
請求項４に記載の発明は、請求項２又は３に記載の受信装置において、前記外部入力切替手段による、前記ＲＦ入力端子から入力されるＲＦ信号の周波数を選局して受像するチャンネルの切り替え選択機能の有無を選択する選択手段を備えることを特徴とする。
【０００９】
請求項５に記載の発明は、請求項２〜４の何れか一項に記載の受信装置において、前記ＲＦ入力端子から入力されるＲＦ信号の周波数を選局して受像するチャンネルを選択するチャンネル選択手段を備えることを特徴とする。
【発明の効果】
【００１０】
請求項１に記載の発明によれば、テレビジョン受像機において、外部入力切替手段は、ＲＦ入力端子から入力されるＲＦ信号の周波数を選局して受像するチャンネルに切り替え選択可能に構成されているので、第１外部機器又は第２外部機器から出力されるデータの選択に際し、第２外部機器から出力されるデータを選択する場合であっても、別途、ＲＦ信号の周波数のチャンネルを選局して受像するチャンネルを選択する必要が無くなり、外部入力切替手段のみで行うことができることとなって、ユーザの操作性を向上させることができる。
また、検出手段により、予め設定されたタイミングで、ＲＦ入力端子からのＲＦ信号の入力の有無が検出され、当該検出手段により、ＲＦ入力端子からのＲＦ信号の入力が検出された場合に、外部入力切替手段は、当該ＲＦ信号の周波数を選局して受像するチャンネルに切り替え選択可能であるので、必要なときにのみ切り替え選択ができるようになることとなって、ユーザの操作性をより向上させることができる。
さらに、外部入力切替手段による、ＲＦ入力端子から入力されるＲＦ信号の周波数を選局して受像するチャンネルの切り替え選択機能の有無を選択する選択手段と、ＲＦ入力端子から入力されるＲＦ信号の周波数を選局して受像するチャンネルを選択するチャンネル選択手段と、を備えるので、ユーザにとって使い勝手の良いテレビジョン受像機を提供することができる。
【００１１】
請求項２に記載の発明によれば、受信装置において、外部入力切替手段は、ＲＦ入力端子から入力されるＲＦ信号の周波数を選局して受像するチャンネルに切り替え選択可能に構成されているので、第１外部機器又は第２外部機器から出力されるデータの選択に際し、第２外部機器から出力されるデータを選択する場合であっても、別途、ＲＦ信号の周波数を選局して受像するチャンネルを選択する必要が無くなり、外部入力切替手段のみで行うことができることとなって、ユーザの操作性を向上させることができる。
【００１２】
請求項３に記載の発明によれば、請求項２に記載の発明の効果が得られるのは無論のこと、検出手段により、予め設定されたタイミングで、前記ＲＦ入力端子からのＲＦ信号の入力の有無が検出され、当該検出手段により、ＲＦ入力端子からのＲＦ信号の入力が検出された場合に、外部入力切替手段は、当該ＲＦ信号の周波数を選局して受像するチャンネルに切り替え選択可能であるので、必要なときにのみ切り替え選択ができるようになることとなって、ユーザの操作性をより向上させることができる。
【００１３】
請求項４に記載の発明によれば、請求項２又は３に記載の発明の効果が得られるのは無論のこと、外部入力切替手段による、ＲＦ入力端子から入力されるＲＦ信号の周波数を選局して受像するチャンネルの切り替え選択機能の有無を選択する選択手段を備えるので、ユーザにとって使い勝手の良い受信装置を提供することができる。
【００１４】
請求項５に記載の発明によれば、請求項２〜４の何れか一項に記載の発明の効果が得られるのは無論のこと、ＲＦ入力端子から入力されるＲＦ信号の周波数を選局して受像するチャンネルを選択するチャンネル選択手段を備えるので、ユーザにとってより使い勝手の良い受信装置を提供することができる。
【発明を実施するための最良の形態】
【００１５】
以下、本発明の実施の形態を、図面を参照しながら詳細に説明する。
本実施形態は、受信装置としてテレビジョン放送信号の受信を行うテレビジョン受像機を用いて説明する。
【００１６】
図１は、本実施形態の外部機器が接続されたテレビジョン受像機の要部構成を例示したブロック図である。
図１に示すように、テレビジョン受像機１００は、例えば、デジタル及びアナログのテレビジョン放送信号（以下、デジタル／アナログＲＦ信号という。）を受信可能に設計されており、受信されたデジタル／アナログＲＦ信号に基づく映像及び音声等を出力する受像機本体１と、ユーザが各種指示を入力することにより受像機本体１を遠隔操作するリモートコントロール装置（以下、リモコンという。）２と、を備えて構成されている。
また、本実施形態のテレビジョン受像機１００は、複数の外部機器２００と接続可能であり、外部機器２００により入力される映像／音声信号を受信して所定の処理を施し、映像／音声を出力する。
【００１７】
接続可能な外部機器２００には、例えば、映像／音声信号を特定の周波数のＲＦ信号として出力する第２外部機器としての外部機器２００ａや、映像信号を輝度信号（Ｙ）と色信号（Ｃ）とが複合されたコンポジット信号（非ＲＦ信号）として出力する第１外部機器としての外部機器２００ｂ、映像信号を輝度信号（Ｙ）、Ｂ−Ｙ色差信号（Ｃｂ（Ｐｂ））及びＲ−Ｙ色差信号（Ｃｒ（Ｐｒ））とで構成されたコンポーネント信号（非ＲＦ信号）として出力する第１外部機器としての外部機器２００ｃ等がある。それぞれの外部機器２００は、インターフェース部３を介して受像機本体１に接続され、受像機本体１に映像／音声信号を入力する。
より具体的には、映像／音声信号を特定の周波数のＲＦ信号として出力する外部機器２００ａは、例えば、ゲーム機器等であり、映像／音声信号を特定の周波数のＲＦ信号に変換する処理を行い、ＲＦ入力端子３１ａ（図２参照）により接続された受像機本体１に当該ＲＦ信号を入力する。
また、コンポジット信号を出力する外部機器２００ｂは、例えば、ＶＣＲ（Video Cassette Recorder）等であり、外部入力端子としてのコンポジット入力端子３１ｂ（図２参照）等により接続された受像機本体１にコンポジット信号を入力する。
また、コンポーネント信号を出力する外部機器２００ｃは、例えば、ＤＶＤ（Digital Versatile Disc）プレーヤ等であり、外部入力端子としてのコンポーネント入力端子３１ｃ（図２参照）等により接続された受像機本体１にコンポーネント信号を入力する。
【００１８】
リモコン２は、例えば、テレビジョン受像機１００の電源をオン／オフするための電源オン／オフキー２ａと、外部機器２００から、入力端子３１（図２参照）介して入力される映像信号及び／又は音声信号に切り替え選択するための外部入力切替手段としての入力切替キー２ｂと、各種のメニュー画面を表示画面１１ａに表示させるためのメニューキー２ｃと、を備えて構成されている。さらに、リモコン２は、図示は省略するが、所定の周波数のＲＦ信号を選局して受像するチャンネルを選択するためのチャンネルキーと、チャンネルを変更するためのチャンネルアップ／ダウンキーと、音量を調節するためのボリュームアップ／ダウンキーと、等を備えている。リモコン２に備わるそれぞれのキーを押下操作すると、押下されたキーに対応する赤外線等の入力操作信号が、図示しない赤外線発光ダイオード等から出力されるようになっており、当該入力操作信号は、リモコン信号受光部１３を介して制御部１４に出力される。
【００１９】
受像機本体１は、例えば、外部機器２００を接続するインターフェース部３と、デジタル／アナログＲＦ信号を受信するアンテナ４と、アンテナ４及びインターフェース部３と接続され、アンテナ４或いはＲＦ接続を行う外部機器２００ａから所定の周波数のＲＦ信号を受信するチューナ５と、チューナ５により入力されたデジタルＲＦ信号を復調するデジタルＲＦ信号復調器６と、チューナ５により入力されたアナログＲＦ信号を復調するアナログＲＦ信号復調器７と、デジタルＲＦ信号復調器６により復調されたデジタルＲＦ信号を復号するデジタルデコーダ８と、アナログＲＦ信号復調器７及びデジタルデコーダ８から入力されたＲＦ信号に基づく映像／音声データ若しくはコンポジット接続を行う外部機器２００ｂ・コンポーネント接続を行う外部機器２００ｃにより入力される映像／音声データに対して所定の処理を行う映像／音声処理部９と、映像／音声処理部９により処理された映像信号にＯＳＤデータを付加するＯＳＤ回路１０と、映像／音声処理部９により処理された映像信号を出力する映像出力部１１と、映像／音声処理部９により処理された音声信号を出力する音声出力部１２と、リモコン２からの入力操作信号を受信するとともに、当該入力操作信号を制御部１４に出力するリモコン信号受光部１３と、受像機本体１全体を統括制御する制御部１４と、を備えている。
【００２０】
インターフェース部３は、例えば、図２に示すように、複数の入力端子３１と、リモコン２から制御部１４を介して入力される外部入力の切り替え選択の制御信号に基づいて、入力端子３１のうちから何れかの入力端子３１を接続し、当該入力端子３１により接続された外部機器２００から映像／音声信号を受信するための切り替え選択を行う外部入力切替手段としてのセレクタ３２と、それぞれの入力端子３１から入力される信号を検出することにより、外部機器２００の接続の有無を検出し、特にＲＦ入力端子３１ａから入力されるＲＦ信号を検出する検出手段としての接続検出部３３と、を備えて構成されている。入力端子３１は、例えば、ＲＦ接続を行う外部機器２００ａを接続するための２つのＲＦ入力端子３１ａ、３１ａ（例えば、ＲＦ３、ＲＦ４）と、コンポジット接続を行う外部機器２００ｂを接続するための２つのコンポジット入力端子３１ｂ、３１ｂ（例えば、Video１、Video２）と、コンポーネント接続を行う外部機器２００ｃを接続するためのコンポーネント入力端子３１ｃ（例えば、COMP）と、等である。
具体的には、ユーザによりリモコン２の入力切替キー２ｂが押下操作されると、外部機器２００から出力される映像／音声信号に切り替え選択するための入力操作信号が制御部１４を介してセレクタ３２に出力され、セレクタ３２は、当該入力操作信号に応じて、入力切替キー２ｂの押下操作毎に接続する入力端子３１を順次切り替えていく。外部入力の切り替え選択操作により接続された入力端子３１は、表示画面１１ａにＯＳＤ表示され、ユーザは、当該表示を参照しながら所望の入力端子３１に接続された外部機器２００を選択して、当該外部機器２００から入力端子３１を介して出力される映像／音声信号の受信に切り替える。
接続検出部３３は、例えば、入力端子３１からの信号（例えば、同期信号）の有無を検出することにより、それぞれの入力端子３１に外部機器２００が接続されているか否かを検出し、検出結果を制御部１４に出力する。接続検出部３３は、例えば、入力端子３１からの同期信号があるときには「Ｈ」の検出信号を制御部１４に出力し、同期信号が無いときには「Ｌ」の検出信号を制御部１４に出力する。
【００２１】
アンテナ４は、屋外において所定の方向に向けて配置されており、図示しないテレビジョン放送局から発信される高周波（ＲＦ）のデジタル／アナログＲＦ信号を受信する。
【００２２】
チューナ５は、図示は省略するが、高周波増幅回路と、局部発振回路及び混合回路から成る周波数変換回路と、を備えて構成され、アンテナ４によって受信されたデジタル／アナログＲＦ信号及びＲＦ接続を行う外部機器２００ａからＲＦ入力端子３１ａを介して入力されたデジタル／アナログＲＦ信号と、局部発振回路から出力される局部発振信号とを混合回路により混合し、当該ＲＦ信号の周波数を選局して受像するチャンネルに同調するための制御部１４からの制御信号に応じて、同調したチャンネルに対応する特定周波数帯のデジタル／アナログＲＦ信号を受信する。そして、当該受信したデジタル／アナログＲＦ信号を所定の中間周波数を有する中間周波信号（ＩＦ信号）に変換して、デジタルＲＦ信号復調器６或いはアナログＲＦ信号復調器７に出力する。
【００２３】
デジタルＲＦ信号復調器６は、制御部１４からの制御信号に従って、チューナ５から入力されたＩＦ信号に対して増幅、復調、誤り訂正等の処理を行い、トランスポートストリーム（ＴＳ）を生成して、さらに当該トランスポートストリームを、ＭＰＥＧ２（Moving Picture Experts Group ２）規格下のビデオストリーム、オーディオストリーム及びＰＳＩ／ＳＩ（Program Specific Information/Service Information）等に分離するとともに、当該ビデオストリーム及びオーディオストリームをデジタルデコーダ８に、ＰＳＩ／ＳＩに含まれるデータを制御部１４に供給する。
【００２４】
アナログＲＦ信号復調器７は、チューナ５から入力されたＩＦ信号に対して、増幅、復調等の処理を行い、映像データ及び音声データを生成し、当該映像データ及び音声データを映像／音声処理部９に出力する。
【００２５】
デジタルデコーダ８は、図示しない映像デコーダ及び音声デコーダを備えて構成されている。映像デコーダは、デジタルＲＦ信号復調器６から入力されたビデオストリームを復号し、逆ＤＣＴ変換や動き補償制御等を行い、映像データを生成する。一方、音声デコーダは、デジタルＲＦ信号復調器６から入力されたオーディオストリームを復号して、音声データを生成する。映像デコーダ及び音声デコーダによって生成された映像／音声データは、映像／音声処理部９に出力されることとなる。
【００２６】
映像／音声処理部９は、アナログＲＦ信号復調器７及びデジタルデコーダ８から入力された映像データ及び／又は音声データに対して、Ｄ／Ａ変換等の各種処理を施し、映像／音声信号を生成する。また、コンポジット接続を行う外部機器２００ｂ及びコンポーネント接続を行う外部機器２００ｃにより入力される映像データ及び／又は音声データに対してＤ／Ａ変換等の各種処理を行い、映像／音声信号を生成する。そして、生成した映像信号を映像出力部１１に出力するとともに、音声信号を音声処理部１２に出力する。
【００２７】
ＯＳＤ回路１０は、制御部１４からの制御信号に応じて、ＲＯＭ１４４に格納された図示しないＯＳＤデータを、映像／音声処理部９から出力された映像信号に合成する処理を行う。
【００２８】
映像出力部１１は、例えば、ＣＲＴ（Cathode Ray Tube）、ＬＣＤ（Liquid Crystal Display）等の表示画面１１ａを備え、映像／音声処理部９から入力された映像信号に基づく映像を表示画面１１ａに表示させる。
音声出力部１２は、例えば、スピーカ１２ａ等を備え、映像／音声処理部９から入力された音声信号に基づく音声をスピーカ１２ａにより出力させる。
【００２９】
リモコン信号受光部１３は、リモコン２に備わる各種キーの押下操作により出力された入力操作信号を受信して、ＳＵＢＣＰＵ１３ａにより増幅、検波、誤り訂正等の処理を行い、当該入力操作信号を制御部１４に出力する。
【００３０】
制御部１４は、Ｉ／Ｏポート１４１、ＣＰＵ（Central Processing Unit）１４２、メモリ部１４３、ＲＯＭ（Read Only Memory）１４４等を備えて構成されている。
【００３１】
ＣＰＵ１４２は、受像機本体１の各部からＩ／Ｏポート１４１を介して入力された入力信号及びリモコン２の各種キーの押下操作によってリモコン信号受光部１３及びＩ／Ｏポート１４１を介して入力された入力操作信号等に応じて、ＲＯＭ１４４に格納された各種プログラムを実行するとともに、Ｉ／Ｏポート１４１を介して各部に制御信号を出力することによって、受像機本体１の動作全般を統括制御する。
【００３２】
メモリ部１４３は、ＲＡＭ（Random Access Memory）１４３ａを備え、ＣＰＵ１４２によって各種プログラムが実行される際に生じる処理結果や、入力されたデータ等を当該ＲＡＭ１４３ａに記憶するとともに、ＥＥＰＲＯＭ（Electrically Erasable ROM）、フラッシュメモリ等の不揮発性メモリ１４３ｂを備え、後述する設定プログラム１４４ａの実行による設定を当該不揮発性メモリ１４３ｂに格納する。
【００３３】
ＲＯＭ１４４は、設定プログラム１４４ａ、検出プログラム１４４ｂ、外部入力切替プログラム１４４ｃ等を備えている。
【００３４】
設定プログラム１４４ａは、例えば、ＣＰＵ１４２に、外部入力の切り替え選択操作に際して、ＲＦ入力端子３１ａにより接続された外部機器２００から、ＲＦ入力端子３１ａを介して入力されるＲＦ信号の周波数を選局して受像するチャンネルの切り替え選択を行うか否かをユーザに選択させる機能を実現させるプログラムである。
具体的には、ユーザによりリモコン２のメニューキー２ｃが押下操作されると、ＣＰＵ１４２は、後述する外部入力切替プログラム１４４ｃの実行による外部入力の切り替え選択操作の際に、ＲＦ入力端子３１ａから入力されるＲＦ信号のチャンネルの切り替え選択を行うか否かをユーザに選択させるためのメニュー画面のＯＳＤデータを、ＯＳＤ回路１０により付加させて、表示画面１１ａに表示させる。ＣＰＵ１４２は、当該メニュー画面においてリモコン２の操作により選択されたＲＦ信号のチャンネルの切替選択を行う／行わない設定に基づいて、外部入力切替プログラム１４４ｃの実行による外部入力の切り替え選択操作の際に、ＲＦ信号のチャンネルの切り替え選択を行うか否かの設定を不揮発性メモリ１４３ｂに記憶させる。ユーザにより、ＲＦ信号のチャンネルの切り替え選択を行う設定がなされたときには、外部入力の切り替え選択操作において、ＲＦ入力端子３１ａを介して入力されるＲＦ信号のチャンネルの切り替え選択が行われることとなり、一方、ＲＦ信号のチャンネルの切り替え選択を行わない設定がなされたときには、外部入力の切り替え選択操作において、ＲＦ信号のチャンネルの切り替え選択が行われないこととなる。
【００３５】
また、設定プログラム１４４ａは、例えば、ＣＰＵ１４２に、ＲＦ接続を行う外部機器２００ａからＲＦ入力端子３１ａを介して入力されるＲＦ信号の周波数を選局して受像するチャンネルをユーザに選択させる機能を実現させるプログラムである。
具体的には、ユーザによりリモコン２のメニューキー２ｃが押下操作されると、ＣＰＵ１４２は、ＲＦ接続を行う外部機器２００ａから、ＲＦ入力端子３１ａを介して入力されるＲＦ信号の周波数を選局して受像するチャンネルをユーザに選択させるためのメニュー画面のＯＳＤデータを、ＯＳＤ回路１０により付加させて、表示画面１１ａに表示させる。ＣＰＵ１４２は、当該メニュー画面に基づいて、リモコン２の操作により選択されたチャンネル（例えば、３チャンネル、４チャンネル）を、ＲＦ接続を行う外部機器２００ａからＲＦ入力端子３１ａを介して入力されるＲＦ信号の周波数を選局して受像するチャンネルとして設定し、当該設定を不揮発性メモリ１４３ｂに記憶させる。
ＣＰＵ１４２は、かかる設定プログラム１４４ａを実行することにより、選択手段及びチャンネル選択手段として機能する。
【００３６】
検出プログラム１４４ｂは、例えば、ＣＰＵ１４２に、予め設定されたタイミングで、接続検出部３３により、ＲＦ入力端子３１ａからのＲＦ信号の入力の有無を検出させる機能を実現させるプログラムである。
具体的には、ＣＰＵ１４２は、例えば、設定プログラム１４４ａの実行により、外部入力の切り替え選択操作においてＲＦ信号の切り替え選択を行う設定がなされた場合に、電源投入時に、接続検出部３３により、ＲＦ入力端子３１ａからのＲＦ信号（例えば、同期信号）を検出させ、当該検出結果を制御部１４に出力する。ＣＰＵ１４２は、当該検出結果に基づいて、ＲＦ入力端子３１ａからのＲＦ信号の入力が有るか否かを判断し、当該ＲＦ信号の入力の有無をフラグ情報としてＲＡＭ１４３ａに記録する。ＣＰＵ１４２は、さらに、その後も所定時間毎（例えば、３秒毎）に、接続検出部３３に同処理を実行させ、ＲＦ入力端子３１ａからのＲＦ信号の検出結果に基づいて、ＲＦ信号の入力の有無をフラグ情報としてＲＡＭ１４３ａに記憶する。ＲＡＭ１４３ａに記録されたＲＦ信号の入力の有無のフラグ情報は、例えば、ＲＦ入力端子３１ａからのＲＦ信号の入力が有ると判断された場合には「１」、ＲＦ入力端子３１ａからのＲＦ信号の入力が無い場合には「０」として記録され、後述する外部入力切替プログラム１４４ｃの実行において、ＣＰＵ１４２により、適宜参照されることとなる。
ＣＰＵ１４２は、かかる検出プログラム１４４ｂを実行することにより、接続検出部３３とともに検出手段として機能する。
【００３７】
外部入力切替プログラム１４４ｃは、例えば、ＣＰＵ１４２に、設定プログラム１４４ａの実行により、ＲＦ入力端子３１ａからのＲＦ信号のチャンネルの切り替え選択を行う設定がなされ、さらに、検出プログラム１４４ｂの実行により、ＲＦ入力端子３１ａからのＲＦ信号の入力が検出された場合に、外部入力の切り替え選択操作に際して、ＲＦ入力端子３１ａから入力されるＲＦ信号の周波数を選局して受像するチャンネル及びＲＦ入力端子３１ａ以外の入力端子（すなわち、コンポジット入力端子３１ｂ、コンポーネント入力端子３１ｃ）から入力される映像／音声信号に切り替え選択を行う機能を実現させるプログラムである。
具体的には、ユーザによりリモコン２の入力切替キー２ｂが押下操作されると、ＲＡＭ１４３ａに記録されたＲＦ信号の入力の有無のフラグ情報が「１」である場合に、ＲＦ接続を行う外部機器２００ａ、コンポジット接続を行う外部機器２００ｂ及びコンポーネント接続を行う外部機器２００ｃから出力される映像／音声信号に切り替え選択するための入力操作信号が制御部１４を介してセレクタ３２に出力され、セレクタ３２は当該入力操作信号に応じて、ＲＦ入力端子３１ａ、コンポジット入力端子３１ｂ及びコンポーネント入力端子３１ｃに順次接続を切り替えていく。
ＣＰＵ１４２は、かかる外部入力切替プログラム１４４ｃを実行することにより、入力切替キー２ｂ、セレクタ３２とともに外部入力切替手段として機能する。
【００３８】
図３は、設定プログラム１４４ａの実行により、ＲＦ入力端子３１ａからのＲＦ信号のチャンネルの切り替え選択を行う設定がなされ、さらに、検出プログラム１４４ｂの実行により、ＲＦ入力端子３１ａからのＲＦ信号の入力が検出された場合に、外部入力切替プログラム１４４ｃの実行により行われる外部入力の切り替え選択操作に際して、表示画面１１ａに表示されるＯＳＤ表示の第一例である。
ユーザにより入力切替キー２ｂが押下操作されると、ＣＰＵ１４２は、ＲＡＭ１４３ａに記録されたＲＦ信号の入力の有無のフラグ情報を参照し、当該フラグ情報が「１」である場合に、ＣＰＵ１４２は、入力切替キー２ｂが１回押下操作される度に、セレクタ３２の接続を、例えば、「ＲＦ３→ＲＦ４→Ｖｉｄｅｏ１→Ｖｉｄｅｏ２→ＣＯＭＰ→・・・」と順次切り替えていく。外部入力の切り替え選択操作により接続された入力端子３１は、図３に示すように、表示画面１１ａにおいて、例えば、「ＲＦ３」等のように、ＯＳＤ表示される。
セレクタ３２により、ＲＦ入力端子３１ａが切り替え選択されると、チューナ５は、ＲＦ入力端子３１ａから受信されたＲＦ信号と、局部発振回路から出力される局部発振信号とを混合回路により混合し、当該ＲＦ信号の周波数を選局して受像するチャンネル（例えば、３チャンネル、４チャンネル）に同調するための制御部１４からの制御信号に応じて、同調したチャンネルに対応する特定周波数帯のＲＦ信号を受信する。さらに、当該ＲＦ信号に映像／音声処理部９により各種の映像／音声処理が行われ、映像出力部１１においてＲＦ入力端子３１ａから受信されたＲＦ信号に基づく映像が表示されるとともに、音声出力部１２においてＲＦ入力端子３１ａから受信されたＲＦ信号に基づく音声が出力されることとなる。
【００３９】
また、外部入力切替プログラム１４４ｃは、例えば、ＣＰＵ１４２に、設定プログラム１４４ａの実行により、ＲＦ入力端子３１ａからのＲＦ信号の切り替え選択を行わない設定がなされた場合、又は、検出プログラム１４４ｂの実行により、ＲＦ入力端子３１ａからのＲＦ信号の入力が検出されなかった場合に、外部入力の切り替え選択操作に際して、ＲＦ入力端子３１ａ以外の入力端子３１（すなわち、例えば、コンポジット入力端子３１ｂ及びコンポーネント入力端子３１ｃ）から入力される映像／音声信号に切り替え選択を行う機能を実現させるプログラムである。
具体的には、ユーザによりリモコン２の入力切替キー２ｂが押下操作されると、ＲＡＭ１４３ａに記録されたＲＦ信号の入力の有無のフラグ情報が「０」である場合に、コンポジット接続を行う外部機器２００ｂ及びコンポーネント接続を行う外部機器２００ｃから出力される映像／音声信号に切り替え選択するための入力操作信号が制御部１４を介してセレクタ３２に出力され、セレクタ３２は当該入力操作信号に応じて、コンポジット入力端子３１ｂ及びコンポーネント入力端子３１ｃに順次接続を切り替えていく。
【００４０】
図４は、設定プログラム１４４ａの実行により、ＲＦ入力端子３１ａからのＲＦ信号の切り替え選択を行わない設定がなされた場合、又は、検出プログラム１４４ｂの実行により、ＲＦ入力端子３１ａからのＲＦ信号の入力が検出されなかった場合に、外部入力切替プログラム１４４ｃの実行により行われる外部入力の切り替え選択操作に際して、表示画面１１ａに表示されるＯＳＤ表示の第二例である。
入力切替キー２ｂが押下操作されると、ＣＰＵ１４２は、ＲＡＭ１４３ａに記録されたＲＦ信号の入力の有無のフラグ情報を参照し、当該フラグ情報が「０」である場合に、入力切替キー２ｂを１回押下操作される度に、セレクタ３２の接続を、例えば、「Ｖｉｄｅｏ１→Ｖｉｄｅｏ２→ＣＯＭＰ→・・・」と、ＲＦ入力端子３１ａ以外の入力端子３１に順次切り替えていく。外部入力の切り替え選択操作により接続された入力端子３１は、図４に示すように、表示画面１１ａにおいて、例えば、「Ｖｉｄｅｏ１」等のように、ＯＳＤ表示される。
【００４１】
次に、ＣＰＵ１４２によって実行される検出動作処理について、図５を参照しながら説明する。
本検出動作処理は、ＣＰＵ１４２が、検出プログラム１４４ｂを実行することにより行われる。
【００４２】
まずＣＰＵ１４２は、ステップＳ１において、電源がオンされたか否かを判断する（ステップＳ１）。なお、電源オン時に、ＲＦ信号の入力が有る旨のフラグ情報は「０」にリセットされている。ステップＳ１において、ＣＰＵ１４２は、電源がオンされたと判断すると（ステップＳ１；Ｙｅｓ）、ＲＦ入力端子３１ａから、ＲＦ接続を行う外部機器２００ａから出力されるＲＦ信号の検出処理を行う（ステップＳ２）。ステップＳ３において、ＣＰＵ１４２は、ＲＦ信号の入力が有るか否かを判断し、ＲＦ信号の入力が無いと判断すると（ステップＳ３；Ｎｏ）、所定時間（例えば、３秒）経過後に（ステップＳ４）、ステップＳ２に戻り、再びＲＦ信号の検出処理を行う。一方、ＣＰＵ１４２は、ステップＳ３において、ＲＦ信号の入力が有ると判断すると（ステップＳ３；Ｙｅｓ）、当該ＲＦ信号の入力が有る旨のフラグ情報（例えば、「１」）をＲＡＭ１４３ａに一時的に保存して（ステップＳ５）、本処理を終了する。
【００４３】
以上説明した本発明にかかるテレビジョン受像機１００によれば、ＣＰＵ１４２による外部入力切替プログラム１４４ｃの実行により、外部入力の切り替え選択操作に際して、ＲＦ入力端子３１ａから入力されるＲＦ信号の周波数を選局して受像するチャンネルに切り替え選択可能に構成されているので、外部機器２００から出力されるデータの選択に際し、映像／音声信号をＲＦ信号として出力する外部機器２００ａから出力されるデータを選択する場合であっても、別途、ＲＦ信号の周波数を選局して受像するチャンネルを選択する必要が無くなり、入力切替キー２ｂによる外部入力切替操作のみで行うことができることとなって、ユーザの操作性を向上させることができる。
また、ＣＰＵ１４２による検出プログラム１４４ｂの実行により、予め設定されたタイミングで、ＲＦ入力端子３１ａからのＲＦ信号の入力の有無が検出され、ＲＦ入力端子３１ａからのＲＦ信号の入力が検出された場合に、外部入力切替プログラム１４４ｃが実行され、当該ＲＦ信号の周波数を選局して受像するチャンネルに切り替え選択可能であるので、必要なときにのみ切り替え選択ができることとなって、ユーザの操作性をより向上させることができる。
さらに、ＣＰＵ１４２による設定プログラム１４４ａの実行により、外部入力切替プログラム１４４ｃの実行による、ＲＦ入力端子３１ａから入力されるＲＦ信号の周波数を選局して受像するチャンネルの切り替え選択機能の有無をユーザが選択して設定でき、また、ＲＦ入力端子３１ａから入力されるＲＦ信号の周波数を選局して受像するチャンネルをユーザが選択して設定できるので、ユーザにとって使い勝手の良いテレビジョン受像機１００を提供することができる。
【００４４】
なお、本発明は、上記実施の形態に限定されることなく、本発明の趣旨を逸脱しない範囲において、種々の改良並びに設計の変更を行ってもよい。
例えば、本発明は、受信装置としてテレビジョン受像機１００を例示したが、受信装置はこれに限られず、外部機器２００と接続可能なものであればよい。
また、本発明は、外部入力端子（コンポジット入力端子３１ｂ、コンポーネント入力端子３１ｃ）により接続される外部機器２００ｂ、２００ｃ（第１外部機器）と、ＲＦ入力端子３１ａにより接続される外部機器２００ａ（第２外部機器）と、を別個の機器として説明したが、外部機器２００は、外部入力端子３１ｂ、３１ｃとＲＦ入力端子３１ａの両方の入力端子３１によりテレビジョン受像機１００に接続可能な外部機器であってもよい。
また、本発明は、ＲＦ入力端子３１ａからのＲＦ信号の入力の有無を検出して、ＲＦ信号が無い場合には、ＲＦ入力端子３１ａから入力されるＲＦ信号の周波数を選局して受像するチャンネルに切り替え選択を行わない設計としたが、ＲＦ信号が無い場合でも、ＲＦ入力端子３１ａから入力されるＲＦ信号の周波数を選局して受像するチャンネルに切り替え選択を行う設計であってもよい。
また、インターフェース部３は、ＲＦ入力端子３１ａ、コンポジット入力端子３１ｂ及びコンポーネント入力端子３１ｃのみならず、Ｓ端子や、Ｄ端子等の外部入力端子を備えていてもよい。
また、外部機器２００は、コンポジット接続を行う外部機器２２ｂ或いはコンポーネント接続を行う外部機器２００ｃに限られず、ＲＧＢ信号を出力する外部機器であってもよい。
また、本発明においてＲＦ入力端子３１ａからのＲＦ信号の検出を、電源投入時及び電源投入後所定時間毎に行う設計としたが、チャンネルプリセットを行う際に行う設計であってもよい。
また、外部機器２００により入力される信号は、音声信号又は映像信号の何れか一方でもよい。
【図面の簡単な説明】
【００４５】
【図１】本発明にかかる外部機器が接続されたテレビジョン受像機の要部構成を例示するブロック図である。
【図２】インターフェース部の要部構成を例示した図である。
【図３】外部入力切替プログラムの実行により行われる外部入力の切り替え選択操作に基づいて表示画面に表示されるＯＳＤ表示の第一例である。
【図４】外部入力切替プログラムの実行により行われる外部入力の切り替え選択操作に基づいて表示画面に表示されるＯＳＤ表示の第二例である。
【図５】本発明における検出動作処理のフローチャートである。
【符号の説明】
【００４６】
１００              テレビジョン受像機（受信装置）
２００ａ            外部機器（第２外部機器）
２００ｂ、２００ｃ  外部機器（第１外部機器）
２                  入力切替キー（外部入力切替手段）
３１ａ              ＲＦ入力端子
３１ｂ              コンポジット入力端子（外部入力端子）
３１ｃ              コンポーネント入力端子（外部入力端子）
３２                セレクタ（外部入力切替手段）
３３                接続検出部（検出手段）
１４２              ＣＰＵ（検出手段、外部入力切替手段、選択手段、チャンネル選択手段）
１４４ａ            設定プログラム（選択手段、チャンネル選択手段）
１４４ｂ            検出プログラム（検出手段）
１４４ｃ            外部入力切替プログラム（外部入力切替手段）
【図１】
2007110425.tif 000003
【図２】
2007110425.tif 000004
【図３】
2007110425.tif 000005
【図４】
2007110425.tif 000006
【図５】
2007110425.tif 000007